(57)【特許請求の範囲】
【請求項１】
側面に貫通穴を有する室外機本体と、
制御基板を保持する制御基板サポートと、
前記制御基板からのリード線が接続される端子台と、
前記リード線を通す開口部を有し、前記室外機本体の前記貫通穴に臨ませて配置され、前記制御基板サポートに装着された端子台取付板と、
前記制御基板と前記端子台取付板との間に配置された金属製の火災遮蔽カバーと、を備え、
前記火災遮蔽カバーは、
前記端子台取付板の前記開口部を前記リード線が通過可能に覆う開口部遮蔽壁と、
前記制御基板の前記端子台取付板側を下方より覆う制御基板遮蔽壁とを備え、
前記開口部遮蔽壁は、前記端子台取付板の前記端子台が設置される端子台設置面から前記開口部を介して前記室外機本体の外側に向けて突き出して構成されている水平壁の先端に設けられていることを特徴とする空気調和機の室外機。
【請求項２】
前記開口部遮蔽壁は、前記水平壁の先端に上方に折曲形成されてなることを特徴とする請求項１記載の空気調和機の室外機。
【請求項３】
前記開口部遮蔽壁は、上部が、前記開口部側へ所定角度傾斜する斜面に形成されていることを特徴とする請求項１又は２記載の空気調和機の室外機。
【請求項４】
前記制御基板遮蔽壁から前記水平壁に連なる垂直壁を設け、前記垂直壁と前記端子台設置面の上端部とが重なるように構成したことを特徴とする請求項１〜３のいずれかに記載の空気調和機の室外機。
【発明の詳細な説明】
【技術分野】
【０００１】
本発明は、制御基板を外火による火災や故意に火が付けられた場合の火災から保護することができる空気調和機の室外機に関する。
【背景技術】
【０００２】
空気調和機の室外機においては、一側面に貫通穴が形成され、この貫通穴部に、室外機本体の外部と内部との電気的接続部となる外向き配置の端子台を備えた端子台取付板が設置され、外側を樹脂製のサービスパネルにて覆われている。サービスパネルは、貫通穴を外部から見えにくくすることを目的として設けられたものであり、貫通穴を閉塞するものではない。
【０００３】
また、室外機の一側面の前記貫通穴の下方には、冷媒配管のバルブが外方に突出して設けられ、その外側を樹脂製のバルブカバーにて覆われている。
【０００４】
したがって、外火による火災や樹脂製部品（サービスパネルやバルブカバー）に故意に火が付けられた場合、室外機側面の貫通穴から炎が入り込み、内部の制御基板が燃焼する可能性があった。そして、このように内部の制御基板が燃焼した場合には、外火による火災であっても、火災の原因が空気調和機の内部からの火災でないことを証明することが難しくなる。
【０００５】
そこで、金属製の端子台取付板に、端子台を覆うように筒状に壁面部を設けることで、万一、放火等外因による出火が生じた場合でも端子台を覆うように設けた筒状の金属製の壁面部によって火炎部が電装品収納箱など他部品に延焼するのを防止することができるようにしたものが提案されている（例えば、特許文献１参照）。
【先行技術文献】
【特許文献】
【０００６】
【特許文献１】特開２００６−１４５０８２号公報（第３頁、段落[0018]、第１〜６図）
【発明の概要】
【発明が解決しようとする課題】
【０００７】
しかしながら、端子台を筒状の金属製の壁面部によって覆うようにしたものにあっても、端子台取付板には、その上端部に、室外機本体の内部からリード線を引き出すための開口部が大きく開いたままとなっていた。そのため、放火等外因による出火が生じた場合に、端子台取付板の開口部から炎が入り込み、内部の制御基板が燃焼する可能性があった。
【０００８】
本発明は、前記のような課題を解決するためになされたもので、制御基板を外火による火災や故意に火が付けられた場合の火災から保護し、火災の原因が空気調和機の内部からの火災でないことを証明できるようにすることを目的とする。
【課題を解決するための手段】
【０００９】
本発明に係る空気調和機の室外機は、側面に貫通穴を有する室外機本体と、制御基板を保持する制御基板サポートと、制御基板からのリード線が接続される端子台と、リード線を通す開口部を有し、室外機本体の貫通穴に臨ませて配置され、制御基板サポートに装着された端子台取付板と、制御基板と端子台取付板との間に配置された金属製の火災遮蔽カバーと、を備え、火災遮蔽カバーは、端子台取付板の開口部をリード線が通過可能に覆う開口部遮蔽壁と、制御基板の端子台取付板側を下方より覆う制御基板遮蔽壁とを備え、開口部遮蔽壁は、端子台取付板の端子台が設置される端子台設置面から開口部を介して室外機本体の外側に向けて突き出して構成されている水平壁の先端に設けられているものである。
【発明の効果】
【００１０】
本発明の空気調和機の室外機においては、制御基板と端子台取付板との間に金属製の火災遮蔽カバーを設け、この火災遮蔽カバーには、端子台取付板の開口部をリード線が通過可能に覆う開口部遮蔽壁と、制御基板の端子台取付板側を下方より覆う制御基板遮蔽壁とを備えさせ、開口部遮蔽壁は、端子台取付板の端子台が設置される端子台設置面から開口部を介して室外機本体の外側に向けて突き出して構成されている水平壁の先端に設けているので、開口部遮蔽壁が室外機本体の外側に向けて突き出している分、開口部遮蔽壁と制御基板との距離が遠くなり、リード線を介して制御基板へ延焼しようとする火炎を、開口部遮蔽壁と制御基板遮蔽壁で防ぐことができる。このため、制御基板サポートに固定された制御基板を、炎から保護することができ、火災の情報を正しく公開、提供することができる。
【図面の簡単な説明】
【００１１】
【図１】本発明の実施形態に係る空気調和機の室外機の外郭を示す斜視図である。
【図２】本発明の実施形態に係る空気調和機の室外機を天板を取り外した状態で示す平面図である。
【図３】本発明の実施形態に係る空気調和機の室外機を天板と前板と電装品収納箱を取り外した状態で示す平面図である。
【図４】本発明の実施形態に係る空気調和機の室外機の分解斜視図である。
【図５】本発明の実施形態に係る空気調和機の室外機の火災遮蔽カバーを示す斜視図である。
【図６】本発明の実施形態に係る空気調和機の室外機の電装品収納箱に火災遮蔽カバーと端子台取付板を取り付けた状態を示す斜視図である。
【図７】本発明の実施形態に係る空気調和機の室外機の電装品収納箱と火災遮蔽カバーと端子台取付板の分解斜視図である。
【図８】本発明の実施形態に係る空気調和機の室外機の電装品収納箱に火災遮蔽カバーと端子台取付板を取り付けた状態を示す正面図である。
【図９】本発明の実施形態に係る空気調和機の室外機の電装品収納箱に火災遮蔽カバーと端子台取付板を取り付けた状態を示す正面視の断面図である。
【図１０】図９のＡ部の拡大断面図である。
【図１１】本発明の実施形態に係る空気調和機の室外機の電装品収納箱に火災遮蔽カバーと端子台取付板を取り付けた状態を示す側面図である。
【図１２】本発明の実施形態に係る空気調和機の室外機の電装品収納箱への火災遮蔽カバーの取付状態を裏面側より示す斜視図である。
【図１３】本発明の実施形態に係る空気調和機の室外機の電装品収納箱への火災遮蔽カバーと端子台取付板の取付状態を裏面側より示す斜視図である。
【発明を実施するための形態】
【００１２】
以下、図示実施形態により本発明を説明する。
図１は本発明の実施形態に係る空気調和機の室外機の外郭を示す斜視図である。図２は本発明の実施形態に係る空気調和機の室外機を天板を取り外した状態で示す平面図である。図３は本発明の実施形態に係る空気調和機の室外機を天板と前板と電装品収納箱を取り外した状態で示す平面図である。図４は本発明の実施形態に係る空気調和機の室外機の分解斜視図である。図５は本発明の実施形態に係る空気調和機の室外機の火災遮蔽カバーを示す斜視図である。図６は本発明の実施形態に係る空気調和機の室外機の電装品収納箱に火災遮蔽カバーと端子台取付板を取り付けた状態を示す斜視図である。図７は本発明の実施形態に係る空気調和機の室外機の電装品収納箱と火災遮蔽カバーと端子台取付板の分解斜視図である。図８は本発明の実施形態に係る空気調和機の室外機の電装品収納箱に火災遮蔽カバーと端子台取付板を取り付けた状態を示す正面図である。図９は本発明の実施形態に係る空気調和機の室外機の電装品収納箱に火災遮蔽カバーと端子台取付板を取り付けた状態を示す正面視の断面図である。図１０は図９のＡ部の拡大断面図である。図１１は本発明の実施形態に係る空気調和機の室外機の電装品収納箱に火災遮蔽カバーと端子台取付板を取り付けた状態を示す側面図である。図１２は本発明の実施形態に係る空気調和機の室外機の電装品収納箱への火災遮蔽カバーの取付状態を裏面側より示す斜視図である。図１３は本発明の実施形態に係る空気調和機の室外機の電装品収納箱への火災遮蔽カバーと端子台取付板の取付状態を裏面側より示す斜視図である。
【００１３】
図１乃至図４に示すように、本発明の実施形態の空気調和機の室外機は、開口部を有する前板４、側板９、天板３、底板１３で囲われた箱型の形状を有している。底板１３の下部には、２箇所に底板台２が取り付けられている。前板４の開口部には、氷柱の発生を抑制する氷柱ガード１１が、前板４の開口部をカバーするファンガード１に取り付けられている。前板４には、上下２箇所に穴部４ａ，４ｂが形成され、これら穴部４ａ，４ｂにファンガード１のフックが嵌合し、さらに上部は前板４とねじ固定されるようになっている。
【００１４】
側板９には、室外機本体内に設置される端子台取付板２０に対応する上部位置に貫通穴９ａが形成されている。側板９の貫通穴９ａの下部エッジは、電装品収納箱１０に対し垂直に取り付けられた端子台取付板２０の下部と係合し、水平に取り付けられた電装品収納箱１０を支えている。側板９の貫通穴９ａ部分が、側板９と平行に取り付けたサービスパネル５によって覆われている。また、側板９の下部位置には、切り欠き９ｂが形成され、冷媒配管のバルブ２７が固定されている板金部品と密着している。そして、側板９の切り欠き９ｂ部分が、側板９と平行に取り付けたバルブカバー６によって覆われている。
【００１５】
底板１３の上面には、ファンサポート７が底板１３に対し垂直に取り付けられ、ファン１２はファンサポート７の中央部分に前板４側を向く形で固定されている。また、底板１３の背面側には、底板１３に対して垂直に置かれ、片側側面と背面を覆うようにＬ字型に曲げられた熱交換器８が配置されている。また、底板１３の上面には、圧縮機２６、配管２５などが配置され、圧縮機２６側とファン１２側を遮断する形で、仕切板２４が底板１３に対して垂直に配置されている。
【００１６】
仕切板２４の上部には、図６に示すヒートシンクサポート１８の下面が乗り、図３に示す角穴２８と電装品収納箱１０の凸形状部とが嵌合している。
【００１７】
電装品収納箱１０は、図２、図４のように水平に配置されており、図６〜図９のように制御基板２２、制御基板サポート１５、端子台取付板２０、火災遮蔽カバー１９、制御基板サポートカバー１６、ヒートシンク１７、ヒートシンクサポート１８、ヒートシンクホルダー２３、及び端子台２１で構成されている。
【００１８】
電装品収納箱１０について更に詳述すると、制御基板２２は、制御基板サポート１５の下方に取り付けられるようになっている。すなわち、制御基板２２は、制御基板サポート１５に形成された溝に差し込まれ、制御基板サポート１５の爪部とねじによって固定される。
【００１９】
また、制御基板サポート１５の上部には、枠が形成され、この枠の外側に嵌る形で制御基板サポートカバー１６が取り付けられ、４箇所の爪部（図示せず）によって固定されるようになっている。
【００２０】
ヒートシンク１７は、制御基板２２のファン１２側に固定されており、ヒートシンク１７の周囲をヒートシンクホルダー２３とヒートシンクサポート１８で囲われている。
【００２１】
ヒートシンクホルダー２３は、爪部（図示せず）を有し、ヒートシンクサポート１８の開口部の内側に前記爪部が引っ掛かることで固定される構造となっている。ヒートシンクホルダー２３とヒートシンクサポート１８が嵌合している状態で、その開口部にヒートシンク１７を囲う形で、制御基板サポート１５に設けられている爪部（図示せず）とヒートシンクサポート１８の側面２箇所に開けられている角穴（図示せず）が係合することで固定されるようになっている。なお、以下の説明において、「垂直」「水平」という文言を使用しているが、便宜的なものであり、厳密に「垂直」「水平」を要求している訳ではない。
【００２２】
火災遮蔽カバー１９は、図５乃至図１３に示すように板金で構成され、ヒートシンク１７の位置とは反対側の位置にて、制御基板２２と端子台取付板２０の間の空間に配置されている。火災遮蔽カバー１９には、３箇所に穴１９ａ，１９ｂ，１９ｃが開けられているとともに、１箇所に凹部１９ｄが形成されており、このうち穴１９ａと凹部１９ｄは、制御基板サポート１５側の突起部（図示せず）が入ってそれぞれ位置決めされるものである。穴１９ｂ，１９ｃは、ねじ止めによる制御基板サポート１５への固定部である。また、火災遮蔽カバー１９には、制御基板の端子台取付板側を下方より覆う制御基板遮蔽壁１９ｅを有するとともに、後述の端子台取付板２０により形成されるリード線引き出し用の開口部２０ｃ内に突出して、この開口部２０ｃをリード線通過可能に覆う開口部遮蔽壁１９ｈが形成されている。制御基板遮蔽壁１９ｅから開口部遮蔽壁１９ｈへは、垂直壁１９ｆと水平壁１９ｇを介して登り階段状に連なっている。また、火災遮蔽カバー１９を構成する板金のエッジのうち、リード線１４が接触する可能性のある部分（例えばＢ部）は、密着曲げ加工を施すことで、エッジ部分を無くし、リード線１４が接触した場合に不具合がないようにしてある。火災遮蔽カバー１９の近傍には、端子台取付板２０が、制御基板サポート１５に対して垂直に取り付けられている。
【００２３】
端子台取付板２０は、図６乃至図１０、図１１、図１３に示すように、外向きに端子台２１を設置する端子台設置面２０ｄを有している。端子台設置面２０ｄを挟む両側壁２０ｅ，２０ｆは、そのエッジ側の一部が、端子台設置面２０ｄの上端を超えて上方に延出し、これら延出部を電装品収納箱１０の制御基板サポート１５への取付部２０ａ，２０ｂとしている。これら取付部２０ａ，２０ｂの間は、制御基板２２からのリード線１４を通す開口部２０ｃとして構成されている。端子台２１には、制御基板２２からのリード線１４が接続され、上方の制御基板２２の方向に向かって、端子台設置面２０ｄ上を這わせてある。また、端子台取付板２０には、制御基板２２に設けられているＬＥＤの点滅を確認するための円形状の窓３０が形成されている。窓３０は、サービスマンがＬＥＤの点滅のパターンによって不具合を特定するために備えられたものである。
【００２４】
端子台取付板２０の窓３０の直後の上部は、火災遮蔽カバー１９の制御基板遮蔽壁１９ｅにより覆われており、例え窓３０から火炎が侵入することがあっても、制御基板遮蔽壁１９ｅによって制御基板２２への延焼が防止されるようになっている。
【００２５】
また、開口部２０ｃには、図１０のように火災遮蔽カバー１９の水平壁１９ｇと開口部遮蔽壁１９ｈが突き出し、開口部遮蔽壁１９ｈが、端子台取付板２０の取付部２０ａ，２０ｂの位置で立ち上がり上方に延びるように構成されている。これにより、端子台取付板２０の開口部２０ｃ（特に開口部の上部）は、リード線通過可能な僅かな隙間を残して火災遮蔽カバー１９の開口部遮蔽壁１９ｈによって大部分が覆われるようになっている。また、火災遮蔽カバー１９の水平壁１９ｇと開口部遮蔽壁１９ｈが開口部２０ｃ内に突き出している分（ここでは突き出し寸法を例えば２７mmに設定してある）、制御基板２２との距離が遠くなり、火炎の延焼防止効果をさらに高めることができる。
【００２６】
本発明の実施形態の空気調和機の室外機において、火災遮蔽カバー１９は、図１０のように端子台取付板２０のリード線引き出し用の開口部２０ｃ内に突出する開口部遮蔽壁１９ｈ及び水平壁１９ｇと、端子台取付板２０の端子台設置面２０ｄの裏面側に１mmのクリアランスをおいて一部が重なる垂直壁１９ｆを有する。開口部遮蔽壁１９ｈは、端子台２１と制御基板２２を接続するリード線１４へ、無理なテンションが加わることを避けるため、当該開口部遮蔽壁１９ｈの中間部分から上部が開口部側、つまり裏面側後方へ約１５°傾けた斜面に形成されている。端子台取付板２０の端子台設置面２０ｄから開口部遮蔽壁１９ｈのリード線引き出し用の開口部２０ｃ内への突出端間の距離は約２７mmであり、端子台設置面２０ｄよりサービスパネル５側に突き出している構造となっている。このため、端子台２１の上部は、火災遮蔽カバー１９の水平壁１９ｇによって塞がれることとなり、端子台２１の上部に燃え広がった炎を防ぐことができる。
【００２７】
また、開口部遮蔽壁１９ｈと垂直壁１９ｆに対して直交する水平壁１９ｇは、端子台取付板２０の端子台設置面２０ｄの上端から約１３mm上方に位置するように配置されている。これにより、作業用のスペースを確保でき、リード線１４を取り付ける際の作業性の確保が容易となっている。
【００２８】
また、火災遮蔽カバー１９の制御基板遮蔽壁１９ｅの面と、端子台取付板２０の端子台設置面２０ｄの上端との間に約５mmの高低差が発生するようにし、かつこの部分が垂直壁１９ｆと重なるようにすることで、制御基板２２側への炎の侵入を防ぐことができるようにしている。
【００２９】
通常、サービスパネル５が燃焼した場合、端子台２１に接続されたリード線１４に燃え移り火災は拡大する。しかし、本発明の実施形態の空気調和機の室外機においては、リード線１４を伝わり拡大した炎は、開口部遮蔽壁１９ｈ、水平壁１９ｇ近傍まで広がるが、これら２つの火災遮蔽壁、すなわち開口部遮蔽壁１９ｈと水平壁１９ｇが上方向への炎の延焼を防止する。このため、制御基板２２へ炎が燃え移るのが防止される。
【００３０】
既述したように、垂直壁１９ｆは、端子台取付板２０の端子台設置面２０ｄの上方と裏面側に組立上必要なクリアランスを確保している。しかし、制御基板遮蔽壁１９ｅと端子台取付板２０の端子台設置面２０ｄの上端との間に高低差が発生するようにして、この高低差（段差部）を垂直壁１９ｆの下辺部が重なるようにしているので、水平方向に対して延焼した炎を当該垂直壁１９ｆにて防ぐことができる。
【００３１】
また、制御基板２２側のＬＥＤの点滅を確認するために端子台取付板２０に形成した円形状の窓３０から炎が侵入することがあっても、端子台取付板裏面側で窓３０よりも高位置となる部位に火災遮蔽カバー１９の制御基板遮蔽壁１９ｅが配置されているので、制御基板遮蔽壁１９ｅによって制御基板２２への延焼を防止することができる。
【００３２】
このように、本発明の実施形態の空気調和機の室外機によれば、端子台取付板２０の端子台２１に接続されたリード線１４を介して制御基板２２へ延焼しようとする火炎を、火災遮蔽カバー１９の開口部遮蔽壁１９ｈ、水平壁１９ｇ、垂直壁１９ｆ、及び制御基板遮蔽壁１９ｅで防ぐことができる。このため、制御基板サポート１５に固定された制御基板２２を、外火による火災や故意に付けられた炎から保護することができ、火災の原因が空気調和機の内部からの火災でないことを証明することができる。
【符号の説明】
【００３３】
１  ファンガード、２  底板台、３  天板、４  前板、４ａ，４ｂ  穴部、５  サービスパネル、６  バルブカバー、７  ファンサポート、８  熱交換器、９  側板、９ａ  貫通穴、９ｂ  切り欠き、１０  電装品収納箱、１１  氷柱ガード、１２  ファン、１３  底板、１４  リード線、１５  制御基板サポート、１６  制御基板サポートカバー、１７  ヒートシンク、１８  ヒートシンクサポート、１９  火災遮蔽カバー、１９ａ，１９ｂ，１９ｃ  穴、１９ｄ  凹部、１９ｅ  制御基板遮蔽壁、１９ｆ  垂直壁、１９ｇ  水平壁、１９ｈ  開口部遮蔽壁、２０  端子台取付板、２０ａ，２０ｂ  取付部、２０ｃ  開口部、２０ｄ  端子台設置面、２０ｅ，２０ｆ  側壁、２１  端子台、２２  制御基板、２３  ヒートシンクホルダー、２４  仕切板、２５  配管、２６  圧縮機、２７  バルブ、２８  角穴、３０  窓。
【図１】
0005465167.tif 000002
【図２】
0005465167.tif 000003
【図３】
0005465167.tif 000004
【図４】
0005465167.tif 000005
【図５】
0005465167.tif 000006
【図６】
0005465167.tif 000007
【図７】
0005465167.tif 000008
【図８】
0005465167.tif 000009
【図９】
0005465167.tif 000010
【図１０】
0005465167.tif 000011
【図１１】
0005465167.tif 000012
【図１２】
0005465167.tif 000013
【図１３】
0005465167.tif 000014